(57)【要約】【課題】作業員による各地域の遠隔監視対象の現場の巡回にかかる効率を改善する。【解決手段】センタ装置１の通信インタフェース１３が作業員の携帯電話からの端末ナンバを入力すると、制御部１２予め区分された複数の地域のうち受信済みの端末ナンバと対応する一地域における一般的な昇降機が設置される現場の情報もしくは区分された地域の複数にわたった特殊現場の情報を記憶部１２から検索し、この検索した情報を通信インタフェース１３を介して携帯電話に返信する。ここでセンタ装置１が前述した一地域における現場の情報を特殊現場に設置される昇降機の保守点検に関する知識を有しない作業員の携帯電話に通知して、地域の複数にわたった特殊現場の情報を当該特殊現場に設置される昇降機の保守点検の知識を有する熟練度の高い作業員の携帯電話に通知するようにすれば、作業員による各地域の現場の巡回にかかる効率を向上させることができる。【選択図】      図１
2007153553.tif 000002
【特許請求の範囲】
【請求項１】
監視対象の範囲を予め複数の地域に区分し、予め定められた現場に関する情報とこの現場を巡回する作業員に関する情報とを前記地域毎に対応付けて記憶する第１の記憶手段と、
前記予め定められた現場を除いた他の現場に関する情報とこの現場を巡回する作業員に関する情報とを前記地域の複数にわたって対応付けて記憶する第２の記憶手段と、
前記第１および第２の記憶手段に記憶された現場に関する情報のうち予め選択した作業員に関する情報と対応付けられる現場に関する情報を当該作業員の端末装置に送信する送信手段と
を備えたことを特徴とする昇降機遠隔監視装置。
【請求項２】
利用者の昇降機への閉じ込めが発生した現場に関する情報とこの現場を巡回する作業員に関する情報とを対応付けて記憶する第３の記憶手段をさらに備え、
前記送信手段は、
前記第１および第２の記憶手段に記憶された現場に関する情報のうち前記第３の記憶手段に記憶された現場を除いた他の現場であって予め選択された作業員に関する情報と対応付けられる現場に関する情報を当該作業員の端末装置に送信し、前記第３の記憶手段に記憶された現場に関する情報のうち予め選択した作業員に関する情報と対応付けられる現場に関する情報を当該作業員の端末に送信する
ことを特徴とする請求項１に記載の昇降機遠隔監視装置。
【請求項３】
監視対象の範囲を予め複数の地域に区分し、予め定められた現場に関する情報を前記地域毎に対応付けて記憶する第１の記憶手段と、
前記予め定められた現場のうちの一部の現場に関する情報を前記地域の複数にわたって対応付けて記憶する第２の記憶手段と、
前記第１の記憶手段に記憶された現場に関する情報を通常時に当該作業員の端末装置に送信し、前記第２の記憶手段に記憶された現場に関する情報を非常時に当該作業員の端末装置に送信する送信手段と
を備えたことを特徴とする昇降機遠隔監視装置。
【発明の詳細な説明】
【技術分野】
【０００１】
本発明は、昇降機遠隔監視装置に関する。
【背景技術】
【０００２】
従来、エレベータを保守点検する作業員は一般には一日のうちに複数の現場を巡回して各現場での保守点検作業を行っている。保守点検作業はあらかじめスケジュール化されており、作業員が所定の巡回順路を所定の時間間隔で移動するように管理されているのが普通である。
【０００３】
このような管理を行なうために監視センタは、各作業員の巡回先の現場の位置情報を読み出して作業員が携行する端末装置に送信する。作業員はこの送信された情報をモニタ表示などにより確認する。
【０００４】
ここで、各現場での保守点検を短時間で効率的に行なうために、監視センタによる監視対象の範囲を幾つかの地域に区分した上で、この区分した各地域毎に専任の作業員を巡回させるようにしている。
【発明の開示】
【発明が解決しようとする課題】
【０００５】
前述したように各地域の現場を当該地域の専任の作業員が巡回することで保守点検の効率化を図っている。しかし、各地域には高層マンションや特殊な昇降機が設置される現場など、巡回において必要とされる作業内容が他とは異なる現場が含まれる場合がある。このような現場を熟練度の低い作業員が巡回する場合には保守点検に必要以上の時間を費やすことになり、必ずしも効率的な保守点検は行なえない。
【０００６】
そこで、本発明の目的は、作業員による現場の巡回を効率良く行なうことが可能になる昇降機遠隔監視装置を提供することにある。
【課題を解決するための手段】
【０００７】
すなわち、本発明に係わる昇降機遠隔監視装置は、監視対象の範囲を予め複数の地域に区分し、予め定められた現場に関する情報とこの現場を巡回する作業員に関する情報とを地域毎に対応付けて記憶し、予め定められた現場を除いた他の現場に関する情報とこの現場を巡回する作業員に関する情報とを地域の複数にわたって対応付けて記憶し、前述のように記憶された現場に関する情報のうち予め選択した作業員に関する情報と対応付けられる現場に関する情報を当該作業員の端末装置に送信することを特徴とする。
【発明の効果】
【０００８】
本発明に係わる昇降機遠隔監視装置によれば、作業員による現場の巡回を効率良く行なうことができる。
【発明を実施するための最良の形態】
【０００９】
以下図面により本発明の実施形態について説明する。  
（第１の実施形態）
まず、本発明の第１の実施形態について説明する。  
図１は、本発明の第１の実施形態にしたがったセンタ装置１の内部回路の構成例を示すブロック図である。  
センタ装置１はエレベータ遠隔監視センタに設けられる監視装置である。図１に示すように、センタ装置１は制御部１１、記憶部１２、通信インタフェース１３、アンテナ１４、入力部１５および表示部１６を備える。制御部１１は記憶部１２、入力部１５および表示部１６と接続される。また、制御部１１は通信インタフェース１３を介してアンテナ１４と接続される。
【００１０】
制御部１１はセンタ装置１の全体の制御を司る。記憶部１２は制御部１１による制御用のプログラムを記憶する。また、記憶部１２は保守管理対象のエレベータ現場の設置建物およびその周囲の地図情報を記憶する。通信インタフェース１３は携帯電話との無線通信を行なう。
【００１１】
図２は、本発明の第１の実施形態にしたがったセンタ装置１の記憶部１２に記憶される巡回担当テーブルの一例を表形式で示す図である。  
センタ装置１の記憶部１２は前述した制御プログラムとは別に図２に示したような形式の巡回担当テーブルをさらに記憶する。この巡回担当テーブルでは保守管理における巡回対象箇所（予め定められた現場）に関する情報およびこの地域を巡回する作業員に関する個人情報とが対応付けられて管理される。  
作業員に関する情報とは、この作業員が携行する携帯電話の端末ナンバの情報、端末所持者氏名、この所持者の所属および電話番号などの個人情報を含む。
【００１２】
この巡回担当テーブルで管理される巡回担当箇所は、監視対象の範囲を予め複数に区分してなる「地域」のうちの一つの地域であったり、または複数の地域であったりする。後者の場合には、複数の地域における特殊な現場が指定される。ここで、特殊な現場とは例えば病院、駅、デパートなどの公共施設や、高層マンションなどの大型物件、さらには特別な顧客の物件に設置された昇降機（現場）を指す。
【００１３】
図２に示した例では、巡回担当テーブルで管理される巡回担当箇所と対応付けられる作業員の情報は一人ずつ管理されているが、複数の作業員をまとめて管理したものであってもよい。
【００１４】
図２に示した巡回担当テーブルでは、区分した一地域名である「＊＊県＊＊市  Ａブロック」およびこの地域を巡回する作業員に関する個人情報とが対応付けられている。同様に、区分した一地域名である「＊＊県＊＊市  Ｂブロック」およびこの地域を巡回する作業員に関する個人情報とが対応付けられている。さらに、複数の地域における特殊現場である「＊＊県＊＊市内病院」とこの現場を巡回する作業員に関する個人情報とが対応付けられる。
【００１５】
すなわち、図２に示した巡回担当テーブルで管理される「＊＊県＊＊市内病院」と対応付けられる情報とこれに対応する作業員は、この巡回担当テーブルで管理される「＊＊県＊＊市  Ａブロック」や「＊＊県＊＊市  Ｂブロック」が属する「＊＊県＊＊市」について、の病院を専門とする巡回担当である。
【００１６】
なお、巡回担当テーブル上で管理される巡回担当箇所で示される巡回先の物件はそれぞれの作業員で重複しないように管理されている。つまり、図２に示した巡回担当テーブル上の「＊＊県＊＊市  Ａブロック」の情報と対応付けられる情報で示される作業員も「＊＊県＊＊市  Ｂブロック」の情報と対応付けられる情報で示される作業員も、この巡回担当テーブルで管理される「＊＊県＊＊市内病院」を巡回する作業員とは異なる作業員である。
【００１７】
図３、図４および図５は、本発明の第１の実施形態にしたがったセンタ装置１の記憶部１２に記憶される巡回先テーブルの一例を表形式で示す図である。  
センタ装置１の記憶部１２は前述した制御プログラムとは別に図３、図４および図５に示したような形式の巡回先テーブルをさらに記憶する。これらテーブルは、図２に示した巡回担当テーブル上のそれぞれの巡回担当箇所における巡回対象の各現場に関する情報を管理するものである。
【００１８】
図３に示した巡回先テーブルでは、図２に示した巡回担当テーブル上の巡回担当箇所である「＊＊県＊＊市  Ａブロック」における巡回対象の現場の住所および建物名の情報が管理される。また、図４に示した巡回先テーブルでは、図２に示した巡回担当テーブル上の巡回担当箇所である「＊＊県＊＊市  Ｂブロック」における巡回対象の現場の住所および建物名の情報が管理される。ただし、図３および図４に示した巡回先テーブル上で示される現場の中には図２に示した巡回担当テーブル上の「＊＊県＊＊市」内の病院は含まれない。
【００１９】
一方、図５に示した巡回先テーブルでは、図２に示した巡回担当テーブル上の巡回担当箇所である「＊＊県＊＊市」内において巡回対象となる各病院に関する住所および建物名といった情報が管理される。
【００２０】
次に、本発明の第１の実施形態にしたがったセンタ装置１による処理動作について説明する。図６は、本発明の第１の実施形態にしたがったセンタ装置１による処理動作の一例を示すフローチャートである。
【００２１】
まず、作業員がエレベータの保守点検作業を行なう前に携帯電話の入力部に対して予め定めた手順で操作を行なうことで当該携帯電話の動作モードを巡回先確認モードに切り換える。
【００２２】
携帯電話の動作モードが巡回先確認モードである場合に作業員が携帯電話の入力部に対して予め定めた手順で操作を行なうと、この携帯電話は内部メモリに記憶される当該携帯電話に固有の端末ナンバの情報をセンタ装置１に送信する。
【００２３】
センタ装置１の通信インタフェース１３が携帯電話からの端末ナンバを受信すると、制御部１１はこの端末ナンバの情報と対応付けられる巡回担当箇所の情報を記憶部１２に記憶される巡回担当テーブル（図２参照）から検索する。
【００２４】
そして、制御部１１はこの検索した巡回担当箇所が管理される巡回先テーブルを記憶部１２から検索する。例えば、図２に示した巡回担当テーブルから検索された巡回担当箇所が「＊＊県＊＊市  Ａブロック」である場合には、図３に示した巡回先テーブルが検索され、図２に示した巡回担当テーブルから検索された巡回担当箇所が「＊＊県＊＊市内病院」である場合には、図５に示した巡回先テーブルが検索される。
【００２５】
制御部１１はこの検索した巡回先テーブルで示される住所および建物名の情報を通信インタフェース１３を介して前述した端末ナンバに対応する携帯電話に送信する。
【００２６】
携帯電話はセンタ装置１からの情報を受信すると、この情報を表形式でモニタ表示させる。これにより携帯電話を携行する作業員は巡回先の現場に関する情報を容易に把握できる。
【００２７】
以上のように、本発明の第１の実施形態にしたがったエレベータ遠隔監視センタのセンタ装置１では、複数の地域における特殊現場に関する情報をセンタ装置１側で記憶し、作業員の端末装置に対してその情報を送信する。
【００２８】
具体的には、センタ装置１は、区分された一地域において例えば病院内のエレベータ、駅のエレベータ、高層マンションのエレベータなどの特殊現場がある場合には、例えば一つの地域における特殊現場以外の現場のみを当該特殊現場に設置される昇降機の保守点検に関する知識を有しない作業員の携帯電話に通知する。そして、センタ装置１は、区分された地域のうち複数の地域にわたった特殊建物の情報を当該特殊現場に設置される昇降機の保守点検に関する知識を有する作業員の携帯電話に通知する。このようにすれば、区分された各地域における現場の巡回の効率を向上させることができる。
【００２９】
（第２の実施形態）
次に、本発明の第２の実施形態について説明する。なお、本実施形態に係る各種装置の構成のうち第１の実施形態で説明した部分と同一部分の説明は省略する。  
本発明の第２の実施形態では、センタ装置１は各作業員の所持する携帯電話に対し通常時の巡回担当箇所および非常時の優先巡回担当箇所の情報を送信する。
【００３０】
図７は、本発明の第２の実施形態にしたがったセンタ装置１の記憶部１２に記憶される巡回担当テーブルの一例を表形式で示す図である。  
センタ装置１の記憶部１２は図２に示したような形式の巡回担当テーブルに代えて図７に示したような形式の巡回担当テーブルをさらに記憶する。
【００３１】
この巡回担当テーブルでは保守管理における通常時の巡回担当箇所の情報、非常時の優先巡回担当箇所の情報およびこの箇所を巡回する作業員に関する個人情報とが対応付けられて管理される。
【００３２】
この巡回担当テーブルで管理される通常時巡回担当箇所は、監視対象の範囲を予め複数の地域に区分したうち一地域を示す。  
この巡回担当テーブルで管理される非常時優先巡回担当箇所は、前述のように区分された地域のうち複数の地域における予め定められた現場であったり、閉じ込め発生箇所であったりする。閉じ込め発生箇所とは、災害の発生や故障などにより利用者が乗りかごに閉じ込められたエレベータ（現場）である。この現場の情報は後述する閉じ込め発生時巡回先テーブルで管理される。
【００３３】
図７に示した巡回担当テーブルでは区分した一地域名である「＊＊県＊＊市  Ａブロック」およびこの地域を通常時に巡回する作業員に関する個人情報とが対応付けられている。また、複数の地域における特殊現場である「＊＊県＊＊市内ホテル」とこの現場を非常時に優先的に巡回する作業員に関する個人情報とが対応付けられる。各作業員は非常時においても通常時の巡回先として指定された現場を巡回するが、非常時巡回には非常時優先巡回担当箇所を優先的に巡回する。
【００３４】
すなわち、図７に示した巡回担当テーブルで管理される通常時巡回担当箇所「＊＊県＊＊市  Ａブロック」および非常時優先巡回担当箇所「＊＊県＊＊市内閉じ込め箇所」の両方に同一の作業員が割り当てられており、当該作業員は通常時に「＊＊県＊＊市  Ａブロック」を巡回し、地震などの災害が発生した場合、すなわち非常時に「＊＊県＊＊市」における閉じ込め発生箇所をに優先して巡回する。
【００３５】
また、図７に示した巡回担当テーブルで管理される通常時巡回担当箇所「＊＊県＊＊市  Ｂブロック」および非常時優先巡回担当箇所「＊＊県＊＊市内病院」の両方に同一の作業員割り当てられており、当該作業員は通常時に「＊＊県＊＊市  Ｂブロック」を巡回し、非常時に「＊＊県＊＊市」における病院を優先して巡回する。
【００３６】
さらに、図７に示した巡回担当テーブルで管理される通常時巡回担当箇所「＊＊県＊＊市  Ｃブロック」および非常時優先巡回担当箇所「＊＊県＊＊市内ホテル」の両方に同一の作業員割り当てられており、当該作業員は通常時に「＊＊県＊＊市  Ｃブロック」を巡回し、非常時に「＊＊県＊＊市」における市内ホテルを優先して巡回する。
【００３７】
ここで、巡回担当テーブル上で管理される通常時巡回担当箇所の各地域は、作業員毎に重複しないように設定されている。
【００３８】
図８および図９は、本発明の第２の実施形態にしたがったセンタ装置１の記憶部１２に記憶される通常時巡回先テーブルの一例を表形式で示す図である。  
図１０は、本発明の第２の実施形態にしたがったセンタ装置１の記憶部１２に記憶される非常時巡回先テーブルの一例を表形式で示す図である。  
図１１は、本発明の第２の実施形態にしたがったセンタ装置１の記憶部１２に記憶される閉じ込め発生時巡回先テーブルの一例を表形式で示す図である。
【００３９】
センタ装置１の記憶部１２は前述した制御プログラムとは別に図８、図９、図１０および図１１に示したような形式の巡回先テーブルをさらに記憶する。このテーブルは図７に示した巡回担当テーブル上のそれぞれの巡回担当箇所における巡回対象の各現場に関する情報を管理するものである。
【００４０】
図８に示した通常時巡回先テーブルでは、図７に示した巡回担当テーブル上の通常時巡回担当箇所である「＊＊県＊＊市  Ａブロック」における巡回対象の現場の住所、建物名の情報、この現場の非常時優先巡回有無情報および閉じ込め有無情報が管理される。閉じ込め有無情報とは、現場に設置されるエレベータでの利用客の閉じ込め発生の有無を示す情報である。
【００４１】
図９に示した通常時巡回先テーブルでは、図７に示した巡回担当テーブル上の通常時巡回担当箇所である「＊＊県＊＊市  Ｃブロック」における巡回対象の現場の住所、建物名の情報、この現場の非常時優先巡回有無情報および閉じ込め有無情報が管理される。
【００４２】
図１０に示した非常時巡回先テーブルでは、図７に示した巡回担当テーブル上の非常時優先巡回担当箇所である「＊＊県＊＊市」内において巡回対象となる各ホテルに関する住所、建物名の情報および閉じ込め有無情報が管理される。
【００４３】
また、図１１に示した閉じ込め発生時巡回先テーブルでは、図７に示した巡回担当テーブル上の非常時優先巡回担当箇所である「＊＊県＊＊市」における閉じ込め発生箇所の各現場の住所および建物名の情報が管理される。
【００４４】
制御部１１は、記憶部１２に記憶される非常時巡回先テーブルで管理される情報のうち記憶部１２に記憶される通常時巡回先テーブルで管理される建物名と同一の建物名の情報が携帯電話に送信されたか否かを管理している。この送信がなされた場合には、前述した通常時巡回先テーブルで管理される前述した同一の建物名の情報と対応付けられる非常時優先巡回有無情報を「あり」に更新する。
【００４５】
また、制御部１１は、記憶部１２に記憶される通常時巡回先テーブルや非常時巡回先テーブルで管理される建物名の情報に記憶部１２に記憶される閉じ込め発生時巡回先テーブルで管理される建物名の情報と同一の建物名の情報が含まれる場合に、この建物名の情報と対応付けられる閉じ込め有無情報を「あり」に更新する。
【００４６】
次に、本発明の第２の実施形態にしたがったセンタ装置１による処理動作について説明する。図１２は、本発明の第２の実施形態にしたがったセンタ装置１による処理動作の一例を示すフローチャートである。
【００４７】
このセンタ装置１による監視対象のエレベータのうち、閉じ込めが発生したエレベータの乗りかご内の利用者により当該乗りかご内の非常呼びボタンが操作されると、このエレベータの制御装置は非常呼び信号を有線または無線通信によりセンタ装置１へ送信する。この情報にはエレベータの設置現場の住所および建物名の情報が含まれる。
【００４８】
また、センタ装置１の記憶部１２は環境識別情報を記憶する。環境識別情報とは災害が発生していない通常時であるか災害が発生した非常時であるかを示す情報である。  
災害が発生したことをセンタ装置１のオペレータが確認して入力部１５に対する予め定められた操作を行なうと、制御部１１は記憶部１２に記憶される環境識別情報を非常時である事を示す情報に更新する。また、災害後に作業員による各現場の巡回が終了したことをセンタ装置１のオペレータが確認して入力部１５に対する予め定められた操作を行なうと、制御部１１は記憶部１２に記憶される環境識別情報を通常時である事を示す情報に更新する。
【００４９】
作業員がエレベータの保守点検作業を行なう前に携帯電話の入力部に対して予め定めた手順で操作を行なうと、携帯電話の動作モードが巡回先確認モードに切り換わる。  
携帯電話の動作モードが巡回先確認モードである場合に作業員が携帯電話の入力部に対して予め定めた手順で操作を行なうと、この携帯電話は内部メモリに記憶される端末ナンバの情報を含む信号をセンタ装置１に送信する。
【００５０】
センタ装置１の通信インタフェース１３が携帯電話からの信号の受信処理を行なうと（ステップＳ１１）、制御部１１は、この受信した信号が携帯電話からの端末ナンバを示す信号であるかエレベータからの非常呼び信号であるかを判別する（ステップＳ１２）。
【００５１】
この判別の結果、受信済みの信号がエレベータからの非常呼び信号であると制御部１１が判別した場合（ステップＳ１２のＹＥＳ）には、制御部１１はこの情報に含まれるエレベータ設置現場の住所および建物名の情報を記憶部１２に記憶される閉じ込め発生時巡回先テーブル上に反映する（ステップＳ１３）。この処理後はステップＳ１１の処理に戻る。
【００５２】
また、通信インタフェース１３が受信した信号が携帯電話からの端末ナンバであると制御部１１が判別した場合（ステップＳ１２のＮＯ）には、制御部１１は記憶部１２に記憶される環境識別情報が通常時を示す情報であるか非常時を示す情報であるかを判別する（ステップＳ１４）。
【００５３】
制御部１１は、記憶部１２に記憶される環境識別情報が通常時を示す情報である場合（ステップＳ１４のＹＥＳ）には、受信済みの端末ナンバの情報と対応付けられる通常時巡回担当箇所の情報を記憶部１２に記憶される巡回担当テーブル（図７参照）から検索する。
【００５４】
そして、制御部１１は、この検索した巡回担当箇所が管理される巡回先テーブルを記憶部１２から検索する。例えば、巡回担当テーブルから検索された通常時巡回担当箇所が「＊＊県＊＊市  Ａブロック」である場合には、図８に示した巡回先テーブルが記憶部１２から検索され、巡回担当テーブルから検索された通常時巡回担当箇所が「＊＊県＊＊市  Ｃブロック」である場合には、図９に示した通常時巡回先テーブルが検索される（ステップＳ１５）。
【００５５】
制御部１１はこの検索した通常時巡回先テーブルで示される通常時巡回担当箇所の現場のうち、このテーブル上で対応付けられる非常時優先巡回有無情報が「なし」で、かつ閉じ込め有無情報が「なし」である現場の住所および建物名の情報を通信インタフェース１３を介して前述した端末ナンバに対応する携帯電話に送信する（ステップＳ１６）。
【００５６】
携帯電話はセンタ装置１からの情報を受信すると、この情報を表形式でモニタ表示させる。これにより携帯電話を携行する作業員は通常時巡回先の各現場の情報を容易に把握できる。
【００５７】
また、制御部１１は、記憶部１２に記憶される環境識別情報が非常時を示す情報である場合（ステップＳ１４のＮＯ）には、受信済みの端末ナンバの情報と対応付けられる通常時巡回担当箇所の情報およびこれと対応付けられる非常時優先巡回担当箇所の情報を記憶部１２に記憶される巡回担当テーブル（図７参照）から検索する。
【００５８】
そして、制御部１１はこれら検索した巡回担当箇所が管理される巡回先テーブルを記憶部１２からそれぞれ検索する。例えば、制御部１１は巡回担当テーブルから検索された通常時巡回担当箇所が「＊＊県＊＊市  Ａブロック」であって非常時優先巡回担当箇所が「＊＊県＊＊市内閉じ込め発生箇所」である場合には、図８に示した通常時巡回先テーブルおよび図１１に示した閉じ込め発生時巡回先テーブルがそれぞれ検索される。
【００５９】
また、制御部１１は巡回担当テーブルから検索された通常時巡回担当箇所が「＊＊県＊＊市  Ｃブロック」であって非常時優先巡回担当箇所が「＊＊県＊＊市内ホテル」である場合には、図９に示した通常時巡回先テーブルおよび図１０に示した非常時巡回先テーブルがそれぞれ検索される（ステップＳ１７）。
【００６０】
制御部１１はこの検索した通常時巡回先テーブルで示される通常時巡回担当箇所の現場のうち、このテーブル上で対応付けられる非常時優先巡回有無情報が「なし」で、かつ閉じ込め有無情報が「なし」である現場の住所の情報を通信インタフェース１３を介して前述した端末ナンバに対応する携帯電話に送信する。
【００６１】
そして制御部１１は、前述のように検索した非常時巡回先テーブルで示される非常時優先巡回担当箇所の現場のうち、このテーブル上で対応付けられる閉じ込め有無情報が「なし」である現場の住所および建物名の情報を通信インタフェース１３を介して前述した端末ナンバに対応する携帯電話に送信する（ステップＳ１８）。
【００６２】
携帯電話はセンタ装置１からの情報を受信すると、この情報を表形式でモニタ表示させる。これにより携帯電話を携行する作業員は非常時の優先巡回先の各現場の情報を容易に把握できる。
【００６３】
以上のように、本発明の第２の実施形態にしたがったエレベータ遠隔監視センタのセンタ装置１は、複数に区分した地域のいずれかにおける予め定めた現場を通常時に巡回する作業員の情報および前述したように区分した地域の複数の地域における前述した現場以外の現場を非常時に優先して巡回する作業員の情報をセンタ装置１側で記憶する。
【００６４】
これにより、区分された一地域のうち、例えば病院内のエレベータ、駅のエレベータ、高層マンションのエレベータなど、非常時に優先して巡回する必要のある現場がある場合には、通常時の巡回先とは別に非常時の優先巡回先に関する情報を作業員に通知できるので通常時においても非常時においても作業員による現場の巡回を効率良く行なうことが可能になる。
【００６５】
なお、以上説明した実施形態においては、本発明をエレベータの遠隔監視に適用した場合を例示している。しかしこれに限らず、本発明をエスカレータなどの昇降機全般、あるいは昇降機以外の機器の遠隔監視に適用してもよい。
【００６６】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００６７】
【図１】本発明の第１の実施形態にしたがったセンタ装置の内部回路の構成例を示すブロック図。
【図２】本発明の第１の実施形態にしたがったセンタ装置の記憶部に記憶される巡回担当テーブルの一例を表形式で示す図。
【図３】本発明の第１の実施形態にしたがったセンタ装置の記憶部に記憶される巡回先テーブルの構成例（その１）を表形式で示す図。
【図４】本発明の第１の実施形態にしたがったセンタ装置の記憶部に記憶される巡回先テーブルの構成例（その２）を表形式で示す図。
【図５】本発明の第１の実施形態にしたがったセンタ装置の記憶部に記憶される巡回先テーブルの構成例（その３）を表形式で示す図。
【図６】本発明の第１の実施形態にしたがったセンタ装置による処理動作の一例を示すフローチャート。
【図７】本発明の第２の実施形態にしたがったセンタ装置の記憶部に記憶される巡回担当テーブルの一例を表形式で示す図。
【図８】本発明の第２の実施形態にしたがったセンタ装置の記憶部に記憶される通常時巡回先テーブルの構成例（その１）を表形式で示す図。
【図９】本発明の第２の実施形態にしたがったセンタ装置の記憶部に記憶される通常時巡回先テーブルの構成例（その２）を表形式で示す図。
【図１０】本発明の第２の実施形態にしたがったセンタ装置の記憶部に記憶される非常時巡回先テーブルの構成例を表形式で示す図。
【図１１】本発明の第２の実施形態にしたがったセンタ装置の記憶部に記憶される閉じ込め発生時巡回先テーブルの構成例を表形式で示す図。
【図１２】本発明の第２の実施形態にしたがったセンタ装置による処理動作の一例を示すフローチャート。
【符号の説明】
【００６８】
１…センタ装置、１１…制御部、１２…記憶部、１３…通信インタフェース、１４…アンテナ、１５…入力部、１６…表示部。
【図１】
2007153553.tif 000003
【図２】
2007153553.tif 000004
【図３】
2007153553.tif 000005
【図４】
2007153553.tif 000006
【図５】
2007153553.tif 000007
【図６】
2007153553.tif 000008
【図７】
2007153553.tif 000009
【図８】
2007153553.tif 000010
【図９】
2007153553.tif 000011
【図１０】
2007153553.tif 000012
【図１１】
2007153553.tif 000013
【図１２】
2007153553.tif 000014